(57)【要約】【課題】  エレベータの呼び操作が無効に設定されている階床の情報を、当該エレベータの利用者に認識させることが可能なエレベータおよびエレベータ制御方法を提供する。【解決手段】  実施形態によればエレベータは、不停止階情報記憶部と、かご内情報出力制御部とを備える。不停止階情報記憶部は、建物内で、エレベータの不停止階として設定された階床を示す不停止階情報を記憶する。かご内情報出力制御部は、前記エレベータの乗りかご内で、前記不停止階を行先階とするかご呼び操作が行われたことを検知すると、当該行先階が不停止階であり前記かご呼び操作が無効であることを示すアナウンス情報を前記乗りかご内に出力させる。【選択図】図１
2020121818.tif 000002
【特許請求の範囲】
【請求項１】
建物内で、エレベータの不停止階として設定された階床を示す不停止階情報を記憶する不停止階情報記憶部と、
前記エレベータの乗りかご内で、前記不停止階を行先階とするかご呼び操作が行われたことを検知すると、当該行先階が不停止階であり前記かご呼び操作が無効であることを示すアナウンス情報を前記乗りかご内に出力させるかご内情報出力制御部と
を備えることを特徴とするエレベータ。
【請求項２】
前記かご内情報出力制御部は、前記乗りかご内に設置された行先階登録釦のうち、前記不停止階の行先階登録釦を所定色で点灯させ、前記不停止階以外の行先階登録釦を消灯させ、前記不停止階以外の行先階登録釦のいずれかが操作されたことを検知すると、当該行先階登録釦を前記所定色と異なる色で点灯させる
ことを特徴とする請求項１に記載のエレベータ。
【請求項３】
前記かご内情報出力制御部は、消灯している行先階登録釦のみが操作可能であることを示すアナウンス情報を前記乗りかご内に出力させる
ことを特徴とする請求項２に記載のエレベータ。
【請求項４】
前記かご内情報出力制御部は、前記乗りかご内に設置された行先階登録釦のうち、前記不停止階の行先階登録釦を消灯させ、前記不停止階以外の行先階登録釦を所定色で点灯させ、前記不停止階以外の行先階登録釦のいずれかが操作されたことを検知すると、当該行先階登録釦を前記所定色と異なる色に切り替えて点灯させる
ことを特徴とする請求項１に記載のエレベータ。
【請求項５】
前記かご内情報出力制御部は、点灯している行先階登録釦のみが操作可能であることを示すアナウンス情報を前記乗りかご内に出力させる
ことを特徴とする請求項４に記載のエレベータ。
【請求項６】
前記かご内情報出力制御部は、前記乗りかご内に設置された行先階登録釦のうち、前記不停止階の行先階登録釦を消灯させ、前記不停止階以外の行先階登録釦を点滅させ、前記不停止階以外の行先階登録釦のいずれかが操作されたことを検知すると、当該行先階登録釦を点灯させる
ことを特徴とする請求項１に記載のエレベータ。
【請求項７】
前記かご内情報出力制御部は、点滅している行先階登録釦のみが操作可能であることを示すアナウンス情報を前記乗りかご内に出力させる
ことを特徴とする請求項６に記載のエレベータ。
【請求項８】
前記かご内情報出力制御部は、前記乗りかご内に設置された行先階登録釦のうち、前記不停止階の行先階登録釦を第１の色調で点灯させ、前記不停止階以外の行先階登録釦を前記第１の色調とは異なる第２の色調で点灯させ、前記不停止階以外の行先階登録釦のいずれかが操作されたことを検知すると、当該行先階登録釦を前記第１の色調および前記第２の色調と異なる第３の色調に切り替えて点灯させる
ことを特徴とする請求項１に記載のエレベータ。
【請求項９】
前記かご内情報出力制御部は、前記第２の色調で点灯している行先階登録釦のみが操作可能であることを示すアナウンス情報を前記乗りかご内に出力させる
ことを特徴とする請求項８に記載のエレベータ。
【請求項１０】
前記かご内情報出力制御部は、前記不停止階の行先階登録釦の操作は無効であることを示すテキスト情報を、前記乗りかご内に設置されたかご内表示装置に表示させる
ことを特徴とする請求項１〜９いずれか１項に記載のエレベータ。
【請求項１１】
建物内で、エレベータの不停止階として設定された階床を示す不停止階情報を記憶し、
前記エレベータの乗りかご内で、前記不停止階を行先階とするかご呼び操作が行われたことを検知すると、当該行先階が不停止階であり前記かご呼び操作が無効であることを示すアナウンス情報を前記乗りかご内に出力させる
ことを特徴とするエレベータ制御方法。
【発明の詳細な説明】
【技術分野】
【０００１】
本発明の実施形態は、エレベータおよびエレベータ制御方法に関する。
【背景技術】
【０００２】
エレベータが設置された建物において、一般利用者の入場を制限する警備が行われている階床がある場合には、当該階床に関するエレベータのかご呼び操作は無効となるように設定される。このように設定されることにより、警備中の階床にエレベータの乗りかごが停止して戸開し、一般利用者が入場可能な状態になることを回避することができる。
【先行技術文献】
【特許文献】
【０００３】
【特許文献１】実開平１−７５０７４号公報
【発明の概要】
【発明が解決しようとする課題】
【０００４】
しかし、乗りかごに乗車した利用者は上述したような設定を認識することができず、呼び操作が無効になっている行先階登録釦を操作したときにエレベータが昇降せず、閉じ込められたと思い不安になることがあるという問題があった。
【０００５】
本発明は上記事情に鑑みてなされたものであり、エレベータの呼び操作が無効に設定されている階床の情報を、当該エレベータの利用者に認識させることが可能なエレベータおよびエレベータ制御方法の提供を目的とする。
【課題を解決するための手段】
【０００６】
上記目的を達成するための実施形態によればエレベータは、不停止階情報記憶部と、かご内情報出力制御部とを備える。不停止階情報記憶部は、建物内で、エレベータの不停止階として設定された階床を示す不停止階情報を記憶する。かご内情報出力制御部は、前記エレベータの乗りかご内で、前記不停止階を行先階とするかご呼び操作が行われたことを検知すると、当該行先階が不停止階であり前記かご呼び操作が無効であることを示すアナウンス情報を前記乗りかご内に出力させる。
【図面の簡単な説明】
【０００７】
【図１】一実施形態によるエレベータの構成を示す全体図。
【図２】一実施形態によるエレベータの動作を示すフローチャート。
【発明を実施するための形態】
【０００８】
〈一実施形態によるエレベータの構成〉
本実施形態によるエレベータの構成について、図１を参照して説明する。本実施形態によるエレベータ１は、３階建ての建物内の昇降路２の上部に設置された巻上げ機３と、巻上げ機３に掛け渡されたメインロープ４の一端に吊り下げられた乗りかご５と、他端に吊り下げられた釣り合い錘６と、昇降路２上部に設置され、巻上げ機３に信号線で接続されるとともに乗りかご５にテールコード７を介して接続されたエレベータ制御装置８とを備える。
【０００９】
乗りかご５は、かご内操作盤５１と、建物内の乗場側の側壁に設置されたかごドア５２とを有する。かご内操作盤５１には、１階を行先階として指定するための行先階登録釦５１１−１、２階を行先階として指定するための行先階登録釦５１１−２、および３階を行先階として指定するための行先階登録釦５１１−３と、かご内スピーカ装置５１２と、かご内表示装置５１３とが設置されている。
【００１０】
エレベータ制御装置８は、不停止階情報記憶部８１と、呼び登録部８２と、運転制御部８３と、かご内操作情報取得部８４と、かご内情報出力制御部８５とを有する。不停止階情報記憶部８１は、建物内で、エレベータ１の不停止階として設定された階床を示す不停止階情報を記憶する。呼び登録部８２は、乗りかご５内の利用者により、不停止階以外の階を行先階とするかご呼び操作が行われたことを検知すると該当するかご呼びを登録する。また、建物内の各階に設置された乗場呼び操作盤（図示せず）で利用者により行われた操作に基づいて、該当する乗場呼びを登録する。運転制御部８３は、呼び登録部８２に登録されたかご呼びおよび乗場呼びに応答するように、巻上げ機３を含むエレベータ１内の機器の動作を制御する。かご内操作情報取得部８４は、乗りかご５内の行先階登録釦５１１−１〜５１１−３における操作情報を、テールコード７を介して取得する。
【００１１】
かご内情報出力制御部８５は、乗りかご５内に設置された行先階登録釦５１１−１〜５１１−３のうち、不停止階情報記憶部８１に記憶された不停止階情報で示される不停止階の行先階登録釦を所定色で点灯させ、不停止階以外の行先階登録釦を消灯させる。また、乗りかご５内で、消灯している行先階登録釦のみが操作可能であることを示すアナウンス情報をかご内スピーカ装置５１２から出力させる。
【００１２】
そして、不停止階以外の行先階登録釦のいずれかが操作されたことを検知すると、当該行先階登録釦を不停止階の行先階登録釦と異なる色で点灯させる。また、乗りかご５内で不停止階の行先階登録釦が操作されたことを検知すると、当該行先階が不停止階でありかご呼び操作が無効であることを示すアナウンス情報をかご内スピーカ装置５１２から出力させる。
【００１３】
〈一実施形態によるエレベータの動作〉
次に、本実施形態によるエレベータ１の動作について、図２のフローチャートを参照して説明する。本実施形態において、エレベータ制御装置８の不停止階情報記憶部８１には、エレベータ１の不停止階情報として、３階が不停止階である情報が記憶されている。
【００１４】
エレベータ１の通常運転中には、エレベータ制御装置８のかご内情報出力制御部８５により、乗りかご５内に設置された行先階登録釦５１１−１〜５１１−３のうち、不停止階情報記憶部８１に不停止階として記憶された３階の行先階登録釦５１１−３が赤色で点灯され、３階以外の１階の行先階登録釦５１１−１および２階の行先階登録釦５１１−２が消灯されている（Ｓ１）。
【００１５】
また、かご内情報出力制御部８５により、乗りかご５内で、消灯している行先階登録釦５１１−１および５１１−２のみが操作可能であることを示すアナウンス情報がかご内スピーカ装置５１２から出力される（Ｓ２）。
【００１６】
そして、乗りかご５に乗車した利用者により１階の行先階登録釦５１１−１または２階の行先階登録釦５１１−２が押下されて、不停止階以外の階を行先階とするかご呼び操作が行われると、当該操作情報がテールコード７を介してかご内操作情報取得部８４で取得され、該当するかご呼びが呼び登録部８２に登録される。また、各階に設置された乗場呼び操作盤で利用者により乗場呼び操作が行われると、当該操作情報に基づいて該当する乗場呼びが呼び登録部８２に登録される。そして、運転制御部８３により、呼び登録部８２に登録されたかご呼びおよび乗場呼びに応答するように、巻上げ機３を含むエレベータ１内の機器の動作が制御される（Ｓ３の「YES」→Ｓ４）。
【００１７】
また、乗りかご５に乗車した利用者により３階の行先階登録釦５１１−３が押下されたことにより、不停止階として設定されている３階を行先階とするかご呼び操作が行われると（Ｓ３の「NO」→Ｓ５の「YES」）、当該操作情報がかご内操作情報取得部８４で取得される。そして、かご内情報出力制御部８５により、当該行先階が不停止階でありかご呼び操作が無効であることを示すアナウンス情報がかご内スピーカ装置５１２から出力される（Ｓ６）。通常運転中は、ステップＳ１〜Ｓ６の処理が繰り返される。
【００１８】
以上の実施形態によれば、呼び操作が無効に設定されている階床があるエレベータにおいて、当該設定内容を利用者に確実に認識させ、当該階床を行先階としてかご呼び操作を行った利用者が乗りかごに閉じ込められたと思い不安になる事態を回避することができる。
【００１９】
上述した実施形態において、通常運転中にかご内情報出力制御部８５が、乗りかご５内に設置された行先階登録釦５１１−１〜５１１−３のうち、不停止階情報記憶部８１に記憶された不停止階情報で示される３階の行先階登録釦５１１−３を消灯させ、不停止階以外の１階の行先階登録釦５１１−１および２階の行先階登録釦５１１−２を所定色（例えば緑）で点灯させ、不停止階以外の行先階登録釦５１１−１、５１１−２のいずれかが操作されたことを検知すると、当該行先階登録釦を所定色と異なる色（例えばオレンジ）に切り替えて点灯させるようにしてもよい。
【００２０】
この場合、かご内情報出力制御部８５により、乗りかご５内で、点灯している行先階登録釦５１１−１および５１１−２のみが操作可能であることを示すアナウンス情報がかご内スピーカ装置５１２から出力される。
【００２１】
または、通常運転中にかご内情報出力制御部８５が、乗りかご５内に設置された行先階登録釦５１１−１〜５１１−３のうち、不停止階情報記憶部８１に記憶された不停止階情報で示される３階の行先階登録釦５１１−３を消灯させ、不停止階以外の１階の行先階登録釦５１１−１または２階の行先階登録釦５１１−２を点滅させ、不停止階以外の行先階登録釦５１１−１、５１１−２のいずれかが操作されたことを検知すると、当該行先階登録釦を点灯させるようにしてもよい。
【００２２】
この場合、かご内情報出力制御部８５により、乗りかご５内で、点滅している行先階登録釦５１１−１および５１１−２のみが操作可能であることを示すアナウンス情報がかご内スピーカ装置５１２から出力される。
【００２３】
または、通常運転中にかご内情報出力制御部８５が、乗りかご５内に設置された行先階登録釦５１１−１〜５１１−３のうち、不停止階情報記憶部８１に記憶された不停止階情報で示される３階の行先階登録釦５１１−３を第１の色調（例えば赤）で点灯させ、不停止階以外の１階および２階の行先階登録釦５１１−１および５１１−２を第１の色調とは異なる第２の色調（例えば青）で点灯させ、不停止階以外の行先階登録釦５１１−１、５１１−２のいずれかが操作されたことを検知すると、当該行先階登録釦を第１の色調および第２の色調と異なる第３の色調（例えば緑）に切り替えて点灯させるようにしてもよい。
【００２４】
この場合、かご内情報出力制御部８５により、乗りかご５内で、第２の色調で点灯している行先階登録釦のみが操作可能であることを示すアナウンス情報がかご内スピーカ装置５１２から出力される。
【００２５】
また、不停止階である１階および２階の行先階登録釦の操作は無効であることを示すテキスト情報をかご内表示装置５１３に表示させるようにしてもよい。
【００２６】
本発明のいくつかの実施形態を説明したが、これらの実施形態は、例として提示したものであり、発明の範囲を限定することは意図していない。これらの新規な実施形態は、その他の様々な形態で実施されることが可能であり、発明の要旨を逸脱しない範囲で、種々の省略、置き換え、変更を行うことができる。これらの実施形態やその変形は、発明の範囲や要旨に含まれるとともに、特許請求の範囲に記載された発明とその均等の範囲に含まれる。
【符号の説明】
【００２７】
１…エレベータ、２…昇降路、３…巻上げ機、４…メインロープ、５…乗りかご、６…釣り合い錘、７…テールコード、８…エレベータ制御装置、５１…かご内操作盤、５２…かごドア、８１…不停止階情報記憶部、８２…呼び登録部、８３…運転制御部、８４…かご内操作情報取得部、８５…かご内情報出力制御部、５１１−１〜５１１−３…行先階登録釦、５１２…かご内スピーカ装置、５１３…かご内表示装置
【図１】
2020121818.tif 000003
【図２】
2020121818.tif 000004
【手続補正書】
【提出日】令和1年12月17日(2019.12.17)
【手続補正１】
【補正対象書類名】特許請求の範囲
【補正対象項目名】全文
【補正方法】変更
【補正の内容】
【特許請求の範囲】
【請求項１】
建物内で、エレベータの不停止階として設定された階床を示す不停止階情報を記憶する不停止階情報記憶部と、
前記エレベータの乗りかご内で、前記不停止階を行先階とするかご呼び操作が行われたことを検知すると、当該行先階が不停止階であり前記かご呼び操作が無効であることを示すアナウンス情報を前記乗りかご内に出力させ、前記乗りかご内に設置された行先階登録釦のうち、前記不停止階の行先階登録釦を消灯させ、前記不停止階以外の行先階登録釦を所定色で点滅させ、前記不停止階以外の行先階登録釦のいずれかが操作されたことを検知すると、当該行先階登録釦を前記所定色と異なる色に切り替えて点灯させるかご内情報出力制御部と
を備えることを特徴とするエレベータ。
【請求項２】
建物内で、エレベータの不停止階として設定された階床を示す不停止階情報を記憶する不停止階情報記憶部と、
前記エレベータの乗りかご内で、前記不停止階を行先階とするかご呼び操作が行われたことを検知すると、当該行先階が不停止階であり前記かご呼び操作が無効であることを示すアナウンス情報を前記乗りかご内に出力させ、前記乗りかご内に設置された行先階登録釦のうち、前記不停止階の行先階登録釦を第１の色調で点灯させ、前記不停止階以外の行先階登録釦を前記第１の色調とは異なる第２の色調で点滅させ、前記不停止階以外の行先階登録釦のいずれかが操作されたことを検知すると、当該行先階登録釦を前記第１の色調および前記第２の色調と異なる第３の色調に切り替えて点灯させる
ことを特徴とするエレベータ。
【請求項３】
前記かご内情報出力制御部は、前記所定色で点滅している行先階登録釦のみが操作可能であることを示すアナウンス情報を前記乗りかご内に出力させる
ことを特徴とする請求項１または２に記載のエレベータ。
【請求項４】
前記かご内情報出力制御部は、前記不停止階の行先階登録釦の操作は無効であることを示すテキスト情報を、前記乗りかご内に設置されたかご内表示装置に表示させる
ことを特徴とする請求項１〜３いずれか１項に記載のエレベータ。
【請求項５】
建物内で、エレベータの不停止階として設定された階床を示す不停止階情報を記憶し、
前記エレベータの乗りかご内で、前記不停止階を行先階とするかご呼び操作が行われたことを検知すると、当該行先階が不停止階であり前記かご呼び操作が無効であることを示すアナウンス情報を前記乗りかご内に出力させ、前記乗りかご内に設置された行先階登録釦のうち、前記不停止階の行先階登録釦を消灯させ、前記不停止階以外の行先階登録釦を所定色で点滅させ、前記不停止階以外の行先階登録釦のいずれかが操作されたことを検知すると、当該行先階登録釦を前記所定色と異なる色に切り替えて点灯させる
ことを特徴とするエレベータ制御方法。
【手続補正２】
【補正対象書類名】明細書
【補正対象項目名】０００６
【補正方法】変更
【補正の内容】
【０００６】
上記目的を達成するための実施形態によればエレベータは、不停止階情報記憶部と、かご内情報出力制御部とを備える。不停止階情報記憶部は、建物内で、エレベータの不停止階として設定された階床を示す不停止階情報を記憶する。かご内情報出力制御部は、前記エレベータの乗りかご内で、前記不停止階を行先階とするかご呼び操作が行われたことを検知すると、当該行先階が不停止階であり前記かご呼び操作が無効であることを示すアナウンス情報を前記乗りかご内に出力させ、前記乗りかご内に設置された行先階登録釦のうち、前記不停止階の行先階登録釦を消灯させ、前記不停止階以外の行先階登録釦を所定色で点滅させ、前記不停止階以外の行先階登録釦のいずれかが操作されたことを検知すると、当該行先階登録釦を前記所定色と異なる色に切り替えて点灯させる。